(57)【要約】【課題】  通信装置の動作状態にやそのときの使用周波数に応じて、最適なノイズフィルタを選択することにより、伝送特性の向上を図る。【解決手段】  ＤＳＵ２においては、回線交換機１とのハンドシェイク時には、低周波クロック信号が必要であり、通常のデータ通信時には、高周波のデータが必要であり、よって、これら装置の動作状態を同期クロック生成部８で検出して、フィルタ選択部５により、動作状態に応じて、ノイズ除去フィルタ部４のフィルタ特性を切替制御する。これにより、動作状態に応じた信号周波数に対して、最適なノイズフィルタが設定できる。【選択図】      図１                                                  
2005223465.tif 000002
【特許請求の範囲】
【請求項１】
動作状態に応じて信号周波数が相違する通信装置におけるノイズ除去装置であって、前記動作状態に応じてノイズ除去フィルタの周波数特性を切替え制御する切替制御手段を含むことを特徴とするノイズ除去装置。
【請求項２】
前記動作状態は、第一の信号周波数で動作する第一の動作状態と、前記第一の信号周波数より大なる周波数を有する第二の信号周波数で動作する第二の動作状態とがあり、前記切替制御手段は、前記第一及び第二の動作状態の各々を検出する手段と、この検出結果が前記第一の動作状態の時、前記第二の信号周波数を除去し、前記第二の動作状態の時、前記第一の信号周波数を除去するよう前記ノイズ除去フィルタの特性を制御する手段を有することを特徴とする請求項１記載のノイズ除去装置。
【請求項３】
前記通信装置はディジタル回線終端装置であり、前記第一の動作状態はクロック引き込み状態であり、前記第一の動作状態は、通常のデータ通信状態であることを特徴とする請求項２記載のノイズ除去装置。
【請求項４】
前記通信装置はＡＤＳＬモデムであり、前記第一の動作状態は前記第一の信号周波数で動作する状態であり、前記第二の動作状態は前記第二の信号周波数で動作する状態であることを特徴とする請求項２記載のノイズ除去装置。
【請求項５】
前記ノイズ除去フィルタは、前記動作状態に応じた信号周波数にそれぞれ対応して設けられたフィルタを有し、前記切替制御手段は、前記動作状態に応じて前記フィルタの選択をなす手段を有することを特徴とする請求項１〜４いずれか記載のノイズ除去装置。
【請求項６】
前記ノイズ除去フィルタは、抵抗とコンデンサとからなるフィルタであり、前記動作状態に応じて前記フィルタの時定数を制御するようにしたことを特徴とする請求項１〜４いずれか記載のノイズ除去装置。
【発明の詳細な説明】
【技術分野】
【０００１】
本発明は通信装置に関し、特に装置の動作状態に応じて使用信号周波数が相違するような通信装置におけるノイズ除去方式に関するものである。
【背景技術】
【０００２】
通信装置において、回線長が長くなると受信データは劣化し、ノイズの影響を受け易くなってデータ通信の品質を維持するためには、フィルタ回路によるノイズ除去が有効となる。通常、データ通信中のノイズ除去のためにはフィルタ回路が用いられる（特許文献１参照）。
【０００３】
ここで、ＰＨＳ（Personal Handyphone System）−ＤＳＵ（Digital Service Unit：ディジタル回線終端装置）の場合、回線クロック引き込み用信号の周波数帯域と、通常の通信データの使用周波数帯域とは同一ではなく、異なっており、通信データの使用周波数帯域が、回線クロック引き込み時であるハンドシェイク時の信号の使用周波数帯域よりも高くなっている。
【０００４】
図６は、この様な場合における入力信号波形のイメージを示したものであり、（Ａ）は通常の通信データとハンドシェイク時の信号とが重畳されたものであり、（Ｂ）はハンドシェイク時の信号を抽出するために、高周波ノイズ除去を行ったものであり、（Ｃ）は通常の通信データを抽出するために低周波ノイズ除去を行ったものである。
【０００５】
すなわち、ハンドシェイク時における同期引き込み信号（１ＫＨｚ）は、低周波成分を強調しないと同期クロックの引き込みが困難となるので、通常通信データ（１０ＭＨｚ）は除去したい。また、１０ＭＨｚの通常の通信データ時には、低周波ノイズが特性を劣化させるために、この１ＫＨｚの信号は除去したい。そして、一度、同期クロックの引き込みが完了すれば、通常の通信データのフレームビットパターンを検出することにより、クロック同期を維持することが可能である。
【特許文献１】特開２００２−６４３８９号公報
【発明の開示】
【発明が解決しようとする課題】
【０００６】
上述したＰＨＳ−ＤＳＵにおいて、高周波帯域の通常通信中の特性を改善するために、低周波ノイズフィルタを用いると、ハンドシェイク時の低周波帯域のクロック引き込み信号が劣化してハンドシェイクが失敗してしまうことになる。すなわち、ハンドシェイク時と通常通信時とにおいて、信号周波数が異なるために、最適なノイズフィルタ回路を組むことができず、伝送特性を向上させることができないという問題がある。
【０００７】
本発明の目的は、ハンドシェイク時や通常通信時など、装置の動作状態やそのときの使用周波数帯に応じて最適なノイズフィルタを選択できるようにして、伝送特性の向上を図った通信装置を提供することである。
【課題を解決するための手段】
【０００８】
本発明によるノイズ除去装置は、動作状態に応じて信号周波数が相違する通信装置におけるノイズ除去装置であって、前記動作状態に応じてノイズ除去フィルタの周波数特性を切替え制御する切替制御手段を含むことを特徴とする。
【０００９】
そして、前記動作状態は、第一の信号周波数で動作する第一の動作状態と、前記第一の信号周波数より大なる周波数を有する第二の信号周波数で動作する第二の動作状態とがあり、前記切替制御手段は、前記第一及び第二の動作状態の各々を検出する手段と、この検出結果が前記第一の動作状態の時、前記第二の信号周波数を除去し、前記第二の動作状態の時、前記第一の信号周波数を除去するよう前記ノイズ除去フィルタの特性を制御する手段を有することを特徴とする。
【００１０】
前記通信装置はディジタル回線終端装置であり、前記第一の動作状態はクロック引き込み状態であり、前記第一の動作状態は、通常のデータ通信状態であることを特徴とする。また、前記通信装置はＡＤＳＬモデムであり、前記第一の動作状態は前記第一の信号周波数で動作する状態であり、前記第二の動作状態は前記第二の信号周波数で動作する状態であることを特徴とする。
【００１１】
そして、前記ノイズ除去フィルタは、前記動作状態に応じた信号周波数にそれぞれ対応して設けられたフィルタを有し、前記切替制御手段は、前記動作状態に応じて前記フィルタの選択をなす手段を有することを特徴とする。また、前記ノイズ除去フィルタは、抵抗とコンデンサとからなるフィルタであり、前記動作状態に応じて前記フィルタの時定数を制御するようにしたことを特徴とする。
【００１２】
本発明の作用を述べる。例えば、ＤＳＵにおいては、回線交換機とのハンドシェイク時には、低周波クロック信号が必要であり、通常のデータ通信時には、高周波のデータが必要である。よって、通信装置における装置の動作状態を検出して、動作状態に応じて、ノイズ除去フィルタ部のフィルタ特性を切替制御する。これにより、動作状態に応じた信号周波数に対して、最適なノイズフィルタが設定できる。
【発明の効果】
【００１３】
本発明によれば、通信装置の動作状態やそのときの信号の使用周波数帯域に応じて最適なノイズフィルタを用いることができ、よって通信特性の向上が可能となるという効果がある。
【発明を実施するための最良の形態】
【００１４】
以下に、図面を参照して本発明の実施の形態について説明する。図１は本発明の一実施の形態のブロック図であり、ディジタル回線終端装置２に本発明を適用した場合を示す。本装置２は、回線交換機１からの通信データの終端機能と、ユーザ端末３からの通信データの終端機能とを併せ持つ通信モジュール６と、回線交換機１からの受信データ信号に含まれるノイズを除去するノイズフィルタ部４と、このノイズフィルタ部内のフィルタ特性を選択するフィルタ選択部５とを有している。
【００１５】
通信モジュール６は、回線交換機１とユーザ端末３との通信データをそれぞれの通信フォーマットに乗せかえる通信データ交換部７と、回線交換機１からの同期クロック信号から、同期タイミングを抽出する同期クロック生成部８とを有する。フィルタ選択部５は、同期クロック生成部８から同期状態の通知を受けてノイズフィルタ部４のフィルタ特性の切替えを行うものである。
【００１６】
図２はノイズフィルタ部４及びフィルタ選択部５の構成例を示しており、従来においては、１種類のノイズフィルタを持つのみの構成であったものを、本発明では、図示する如く、２種類のフィルタ１３，１４とセレクタ１１，１２とを設け、同期クロック生成部８からの同期状態の通知を受けてセレクタ１１，１２を制御することにより、同期状態に応じて、高周波ノイズ除去フィルタ１３と低周波除去フィルタ１４とを択一的に選択するようになっている。よって同期クロック生成部８からの同期状態を示す信号が、セレクタ１１，１２の選択信号となる。
【００１７】
図６に示した如く、同期クロックが低周波（図６（Ｂ））、通常の通信データが高周波（図６（Ｃ））となる場合について説明する。回線交換機１が未接続時には、ノイズフィルタ部４では、高周波ノイズ除去フィルタ１３が選択されている。このとき、回線交換機１よりデータが送信されてくると、通信モジュール６内の同期クロック生成部８において、クロック抽出が行われてハンドシェイクが行われる。ハンドシェイクが終了すると、同期クロック生成部８では、回線同期状態を示す信号が、セレクタ１１，１２の選択信号として生成される。よって、セレクタ１１，１２は、低周波ノイズ除去フィルタ１４を選択するよう切替えが行われて、通常のデータ通信へ移行することになる。
【００１８】
すなわち、ノイズフィルタ部４は、同期クロック生成部８から通知された同期情報に基づいて、クロック同期されていない場合（ハンドシェイク時）には、低周波クロック同期信号から、高周波成分の除去を行い、回線同期状態となって通常のデータ通信時には、高周波のデータ信号から低周波成分を除去することになる。
【００１９】
このように、ノイズフィルタ選択機能を用いることにより、ハンドシェイク時及び通常通信時に、それぞれ有利なノイズフィルタを選択して使用しているために、通信特性が向上する。クロック同期がなされるまでは、ノイズフィルタは高周波ノイズを除去し、低周波信号を受信し易い状態に保ち、クロック同期が確立された場合は、低周波ノイズを除去して、通常通信を受信し易い状態とする。よって、受信特性が著しく向上する。
【００２０】
図３は、本発明の他の実施の形態を示すブロック図であり、ＡＤＳＬ（Asymmetric Digital Subscriber Line）モデム２に本発明を適用した場合のものである。なお、図１と同等部分は同一符号により示している。通信モジュール６は、通信データ交換部７と通信速度選択回路９とを有しており、通信速度検出回路９は通信データからクロック成分を抽出して、通信データの通信速度、すなわち周波数を検出し、この検出結果をフィルタ選択部５へ通知する。フィルタ選択部５は、通信速度に基づいて、ノイズフィルタ部４のフィルタ特性を切替えるものである。
【００２１】
ノイズフィルタ部４及びフィルタ選択部５の一例を図４に示している。ＡＤＳＬにおいては、３２Ｋｂｐｓ〜７１６８Ｋｂｐｓの通信速度があり、例えば、この周波数範囲のうちの４つの周波数帯域（Ｆ１〜Ｆ４）に対応して、Ｆ１〜Ｆ４のカットフィルタ１５〜１８を直列に設けておき、通信速度選択回路９において検出された通信速度（周波数帯域）に応じて各カットフィルタ１５〜１８を短絡するスイッチ１９〜２２を択一的にオン制御するようになっている。
【００２２】
例えば、現在の通信速度がＦ１に対応するものであれば、Ｆ１カットフィルタ１５を短絡するスイッチ１９をオンとして、他のスイッチ２０〜２２はオフとする。こうすることにより、Ｆ１カットフィルタ１５は入力データの周波数帯域Ｆ１に対しては、通過させ、他の周波数帯域はフィルタ１６〜１８により阻止（マスク）されるので、希望の周波数帯域信号を通過させることができる。
【００２３】
図５は図３のノイズフィルタ部４の他の例を示しており、図３に示したフィルタ選択部５の機能をもこのノイズフィルタ部４が併せ持つ場合である。
【００２４】
図５において、ノイズフィルタ部は抵抗とコンデンサからなるＣＲフィルタであり、このフィルタの抵抗成分またはコンデンサ成分を、通信速度選択回路９からの通信速度に応じて、切替え制御し、フィルタの透過特性を変化させるようにしている。すなわちＣＲフィルタの時定数を可変制御することによりフィルタ特性を制御するものであり、フィルタ選択信号としては、時定数制御信号と等価なものとする。
【００２５】
上記実施の形態は、単に例を示すに止まり、種々の変形が可能であることは明らかである。通信装置としてはＤＳＵやＡＤＳＬモデムに限らず、装置の動作状態によって、必要とされる信号の周波数帯域が変化し、それに対応してノイズフィルタを切替え制御するような装置に広く適用されるものである。
【図面の簡単な説明】
【００２６】
【図１】本発明の一実施の形態を示すブロック図である。
【図２】図１のノイズフィルタ部の例を示す図である。
【図３】本発明の他の実施の形態を示すブロック図である。
【図４】図３のノイズフィルタ部の一例を示す図である。
【図５】図３のノイズフィルタ部の他の例を示す図である。
【図６】ＤＳＵにおける入力信号の例を示す図である。
【符号の説明】
【００２７】
１  回線交換機
２  ディジタル回線終端装置
３  ユーザ端末
４  ノイズフィルタ部
５  フィルタ選択部
６  通信モジュール
７  通信データ交換部
８  同期クロック生成部
９  通信速度選択回路
１１，１２  セレクタ
１３  低周波ノイズ除去フィルタ
１４  高周波ノイズ除去フィルタ
１５〜１８  Ｆ１〜Ｆ４カットフィルタ
１９〜２２  スイッチ
【図１】
2005223465.tif 000003
【図２】
2005223465.tif 000004
【図３】
2005223465.tif 000005
【図４】
2005223465.tif 000006
【図５】
2005223465.tif 000007
【図６】
2005223465.tif 000008